(57)【要約】【課題】  換気機構のメンテナンス性に優れる開口部装置を提供する。【解決手段】  建物開口部に沿って設けられた枠体と、枠体の見付方向内側に配置される障子とを備え、障子が、ガラスパネルと、ガラスパネルの外縁を覆うように設けられた框とを備え、框には、見込み方向に開口する換気口が設けられ、框が、換気口が設けられた部分において、見込み方向室内側に面する室内側片と、見込み方向室外側に面する室外側片と、ガラスパネルの外縁を覆うパネル被覆片とを有し、室内側片又は室外側片が着脱可能とされている、開口部装置とする。【選択図】図２
2010270524.tif 000002
【特許請求の範囲】
【請求項１】
建物開口部に沿って設けられた枠体と、該枠体の見付方向内側に配置される障子とを備え、該障子が、ガラスパネルと、該ガラスパネルの外縁を覆うように設けられた框とを備え、該框には、見込み方向に開口する換気口が設けられ、
前記框が、前記換気口が設けられた部分において、見込み方向室内側に面する室内側片と、見込み方向室外側に面する室外側片と、前記ガラスパネルの外縁を覆うパネル被覆片とを有し、
前記室内側片又は室外側片が着脱可能とされている、開口部装置。
【請求項２】
前記着脱可能とされた前記室内側片又は室外側片に、フィルター部材又は前記換気口を開閉するための開閉弁が備えられる、請求項１に記載の開口部装置。
【請求項３】
前記室外側片には、見込み方向室内側に延びる固定用片が備えられ、前記室内側片には、見込み方向室外側に延びる被固定用片が備えられ、前記固定用片と前記被固定用片とがネジ留めされ、ネジが前記室内側片と前記室外側片との間に配置される、請求項１又は２に記載の開口部装置。
【請求項４】
前記パネル被覆片が前記ガラスパネルに接着手段により接着されている、請求項１〜３のいずれかに記載の開口部装置。
【発明の詳細な説明】
【技術分野】
【０００１】
本発明は住宅や公共施設等の建物開口部に好適に用いられる開口部装置に関する。
【背景技術】
【０００２】
建物開口部に備えられるスイング式、引戸式、及び嵌殺し式の窓等のような開口部装置は、建物開口部の縁に沿って配置される枠体と、該枠体の内側に設けられる障子とを備えており、さらに障子はガラスパネルと該ガラスパネルの４辺に沿って配置される框とを有している。さらに、近年の多様化する社会においては、上記構成に加えて、開口部装置に付加的な機能を備えさせる場合が少なくない。例えば、特許文献１、２に記載されているように、上横框に、見込み方向に連通する換気通路を設けたものが知られている。開口部装置の框に換気口を設けることで、別途建物壁面に換気用の穴を設ける必要がなくなる。
【先行技術文献】
【特許文献】
【０００３】
【特許文献１】特開２００８−１５６９７６号公報
【特許文献２】特開平７−２３８７５２号公報
【発明の概要】
【発明が解決しようとする課題】
【０００４】
特許文献１、２に記載されたような框に換気口を設けた開口部装置においては、長期間の使用により框内部の換気機構（フィルターや開閉弁等）に不具合が生じ、換気機構のみをメンテナンスしたい場合がある。しかしながら、特許文献１、２に記載されたような開口部装置においては、換気機構をメンテナンスする際、ガラスパネルから上横框全体を取り外さなければならない。よって、不具合の生じた換気機構のみをメンテナンスしたい場合であっても、上横框全体の脱着、交換を行わなければならず、メンテナンス性に改善の余地があった。
【０００５】
そこで本発明は、換気機構のメンテナンス性に優れる開口部装置を提供することを課題とする。
【課題を解決するための手段】
【０００６】
以下、本発明について説明する。尚、本発明の理解を容易にするために添付図面の参照符号を括弧書きにて付記するが、それにより本発明が図示の形態に限定されるものではない。また、本明細書において、「見付方向」とは、建物開口部に備えられる開口部装置の開口面に沿った方向を意味する。また、「見込み方向」とは開口部装置の開口面と直交する方向（厚さ方向）を意味し、「見込み方向室外側」とは、開口部装置が建物に取り付けられた姿勢で室外側となる方向であり、「見込み方向室内側」は、開口部装置が建物に取り付けられた姿勢で室内側となる方向である。
【０００７】
本発明は、建物開口部に沿って設けられた枠体（１０）と、枠体の見付方向内側に配置される障子（２０）とを備え、障子が、ガラスパネル（２５）と、ガラスパネルの外縁を覆うように設けられた框（２１、２２、２３、２４）とを備え、框（２１）には、見込み方向に開口する換気口が設けられ、当該框が、換気口が設けられた部分において、見込み方向室内側に面する室内側片（５０）と、見込み方向室外側に面する室外側片（６０）と、ガラスパネルの外縁を覆うパネル被覆片（７０）とを有し、室内側片又は室外側片が着脱可能とされている、開口部装置（１００）を提供して前記課題を解決するものである。
【０００８】
ここに、「換気口が設けられた部分」とは、框の少なくとも換気口が設けられた部分を意味する。例えば、框のうち上横框を対象とし、当該上横框において換気口が設けられる部分と設けられない部分とが一体化されている場合には、当該換気口が設けられない部分を含む上横框全体を「換気口が設けられた部分」とみなしてもよい。また、「室内側片又は室外側片が着脱可能とされている」形態としては、例えば、室内側片、室外側片、及びパネル被覆片が組み合わされて框が構成され、必要時には、当該組み合わせが解かれ、室内側片又は室外側片が框から取り外し可能とされている状態を挙げることができる。
【０００９】
本発明において、着脱可能とされた室内側片（５０）又は室外側片（６０）に、フィルター部材（５１）又は換気口を開閉するための開閉弁（５２）が備えられることが好ましい。換気機構を備える片が着脱可能とされることで、換気機構に不具合が生じた際、容易にメンテナンス可能となるからである。
【００１０】
また、本発明において、室外側片（６０）には、見込み方向室内側に延びる固定用片（６０ｂ）が備えられ、室内側片（５０）には、見込み方向室外側に延びる被固定用片（５０ｇ）が備えられ、固定被片と被固定用片とがネジ留めされ、ネジが室内側片と室外側片との間に配置されることが好ましい。ネジが室内側片と室外側片との間に存在することで、開口部装置の外観視において、ネジを隠蔽することができ、意匠性が向上するからである。また、ネジ留めにより框の強度向上に繋がるとともに、メンテナンス時の着脱が容易となる。
【００１１】
さらに、本発明において、パネル被覆片（７０）がガラスパネル（２５）に接着手段により接着されていることが好ましい。框の見付け方向幅を縮小することができ、採光面積を拡大することができるからである。
【発明の効果】
【００１２】
本発明によれば、框全体を取り外すことなく、框内部の換気機構を修理又は交換等することができるので、メンテナンス性に優れる開口部装置とすることができる。また、ガラスパネルと框とが接着手段により直接接着されていても、換気機構を容易にメンテナンスすることができ、採光面積を拡大可能であるとともに意匠性にも優れる開口部装置とすることができる。
【００１３】
本発明のこのような作用及び利得は、次に説明する発明を実施するための形態から明らかにされる。尚、下記実施形態においては、建物開口部に備えられる引戸式のサッシ窓について説明するが、開口部装置はこれに限定されず、框に換気口（換気機構）を有する開口部装置であれば、本発明の框構造を適用することができる。
【図面の簡単な説明】
【００１４】
【図１】開口部装置の室内正面視における概略図である。
【図２】開口部装置の縦断面図である。
【図３】開口部装置の縦断面図である。
【図４】開口部装置の横断面図である。
【図５】上横框の構成を説明するための図である。
【図６】上横框の構成の一部を説明するための図である。
【発明を実施するための形態】
【００１５】
以下本発明を図面に示す実施形態に基づき説明する。図１は、一実施形態にかかる開口部装置１００が建物開口部に取り付けられた姿勢における、当該開口部装置１００の室内視正面図である。図１において開口部装置１００は両戸先側が開放された姿勢にある。図２は、図１にＩＩ−ＩＩで示した線（垂直方向）に沿った断面図である。図３は、図１にＩＩＩ−ＩＩＩで示した線（垂直方向）に沿った断面図である。図４は、図１にＩＶ−ＩＶで示した線（水平方向）に沿った断面図である。但し、図４においては、開口部装置１００が閉鎖された姿勢にある。図２、３では紙面左側が室外側、紙面右側が室内側となっている。また、図４では紙面下側が室内側、紙面上側が室外側となっている。図５（ａ）は、図２のうち上横框２１の断面（図２においてＶで示される領域）について拡大した図であり、図５（ｂ）〜（ｃ）は、上横框から室内側片５０が取り外される過程を説明するための図である。図６（ａ）〜（ｃ）は、上横框の室内側片５０、フィルター部材５１、及び開閉弁５２の構成を説明するための図である。図が煩雑となるのを防ぐため、いずれの図においても、部材の一部を省略して示している。本実施形態において、開口部装置１００は、いわゆる引戸式の引き違いサッシ窓である。
【００１６】
開口部装置１００は、建物開口部の四辺に沿って配置される枠体１０、及び当該枠体１０の見付け方向内側に具備されて引戸式に開閉する障子２０、３０を備えている。また、施錠装置４０が設けられ、障子２０、３０の施錠及び開錠を可能としている。
【００１７】
＜枠体１０＞
枠体１０は、上下のそれぞれに水平に配置される長尺部材である横枠１１、１２、及び当該横枠１１、１２の端部を渡して設けられる長尺部材である縦枠１４、１５を備え、これらが枠状に形成されている。
【００１８】
横枠１１は、枠体１０の上横枠に相当する枠材である。横枠１１は、図２及び図３に表される断面において、片１１ａ〜１１ｇを有して、紙面奥手前に延在している。横枠１１は、見込み方向に延びる片１１ａを備えており、当該片１１ａの見込み方向室内側端部には、見付け方向内側に延びる片１１ｂが設けられている。また、片１１ｂの見込み方向室内側面からは、見込み方向室内側に延びる片１１ｃが設けられている。一方、片１１ａの見付け方向内側面において、見付け方向室内側に延びる片１１ｄ〜１１ｆが設けられており、これら片１１ｄ〜１１ｆは、障子２０、３０や任意に備えられる網戸（不図示）をスライドさせるための上部レールとして機能する。また片１１ａの見付け方向外側面において、見付け方向外側に延びる片１１ｇが備えられ、横枠１１を建物躯体に取り付け可能としている。
【００１９】
横枠１２は、枠体１０の下横枠に相当する枠材である。横枠１２は、図２及び図３に表される断面において、片１２ａ〜１２ｈを有して、紙面奥手前に延在している。横枠１２には、見込み方向に延びる片１２ａが備えられている。当該片１２ａは、見込み方向室外側端部において見付け方向内側に延びる片１２ｂ、見付け方向外側に延びる片１２ｃを備え、見込み方向室内側端部において見付け方向内側に延びる片１２ｄ、見付け方向外側に延びる片１２ｅを備えている。当該片１２ｄと片１２ｅとの間には、見込み方向室内側に延びる片１２ｆが備えられている。また、片１２ａの見付け方向内側面からは、見付け方向内側に向かって片１２ｇ、１２ｈが延びている。一方、片１２ａの見付け方向外側面からは、見付け方向外側に向かって片１２ｊが延びている。また、片１２ｃと片１２ｊとを渡すように、片１２ｋが設けられている。片１２ｂの見付け方向内側端部は、任意に備えられる網戸（不図示）をスライドさせるための下部レールとして機能する。また、片１２ｇ、１２ｈに、障子２０、３０の下横框２２、３２内に備えられた戸車２８、３８が載置されて、障子２０、３０をスライド可能としている。さらに、片１２ａ、１２ｃ、１２ｊ、１２ｋによって囲まれる空間は中空とされており、例えば当該空間を介して、下横枠の排水がなされ得る。排水のため、片１２ａ、１２ｃ等に、排水口や排水弁が設けられていてもよい。
【００２０】
縦枠１４、１５は、図４に示される断面において、片１４ａ〜１４ｅ、１５ａ〜１５ｅを有して、紙面奥手前に延在している。縦枠１４、１５は、見込み方向に延びる片１４ａ、１５ａを備えている。また、縦枠１４、１５の見込み方向室内側端部、及び見込み方向室外側端部には、片１４ｂ、１４ｅ、１５ｂ、１５ｅが備えられている。さらに、縦枠１４、１５の見付け方向内側面からは、見付け方向内側に延びる片１４ｃ、１５ｃが備えられており、当該片１４ｃ、１５ｃと、障子２０、３０の戸先框２３、３３に備えられるフィンとによって、縦縁の水密気密が保たれている。一方、縦枠１４、１５の見付け方向外側面からは、見付け方向外側に延びる片１４ｄ、１５ｄが備えられ、縦枠１４、１５の建物躯体への固定を可能としている。また、縦枠１４、１５の見付け方向内側面には、見込み方向室内側に、カバー部材８０、８１が備えられている。当該カバー部材８０、８１が備えられることによって、障子２０、３０の閉鎖の姿勢で、後述する戸先框２３、３３が、室内視において隠蔽された状態となる。そのため、開口部装置１００の意匠性を向上させることができる。また、カバー部材８０、８１が備えられることで、戸先框２３、３３を介しての室内外の熱交換が抑えられるので、断熱性に優れる開口部装置１００とすることができる。カバー部材８０、８１の材質については、断熱性の観点から樹脂とすることが好ましい。
【００２１】
＜障子２０＞
障子２０は、内障子に相当する障子で、上横框２１、下横框２２、戸先框２３、内召し合わせ框２４、ガラスパネル２５、及び把手２６が備えられている。
【００２２】
（上横框２１）
上横框２１は、図２及び図５に表される断面において、見込み方向室内側に面する室内側片５０と、見込み方向室外側に面する室外側片６０と、ガラスパネル２５の外縁を覆うように略コ字状に形成されたパネル被覆片７０とを有して、紙面奥手前に延在している。また、図１及び図６からわかるように、上横框２１の室内側片５０には、長手方向に並列されたスリット状の換気口２７ａ、２７ａ、…を有するフィルター部材５１と、開閉弁を操作するための操作部５２とが備えられている。
【００２３】
上横框２１の室内側片５０は、図２、図５及び図６に示されるように、見込み方向室内側に面して備えられ、フィルター部材５１、及び開閉弁５２を有している。以下、図６を参照しつつ、室内側片５０、フィルター部材５１、及び開閉弁５２の各構成について詳述する。
【００２４】
図６（ａ）に示されるように、室内側片５０は複数の片を有してなり、まず、見込み方向に延びる片５０ａを有している。当該片５０ａの見込み方向室内側端部には、見付け方向内側に垂下するように掛止片５０ｂが備えられ、フィルター部材５１の上縁を掛止可能とされている。また、片５０ａの見付け方向内側面から、見付け方向内側に垂下するように片５０ｄが備えられている。片５０ｄには換気口（不図示）が設けられ、見込み方向の通気を可能としている。換気口の数、形状については特に限定されない。片５０ｄの見付け方向内側端部には鉤状部５０ｅが備えられ、室内側片５０の下縁が、後述するパネル被覆片７０に係止可能とされている。さらに、片５０ａの見込み方向室外側端部からは、片５０ｆが見付け方向内側に垂下しており、当該片５０ｆの見付け方向内側端部からは、見込み方向外側に向かって被固定用片５０ｇが設けられている。当該被固定用片５０ｇは、後述する固定用片５３に掛止されるとともにネジ留め可能とされている。一方、片５０ａ、５０ｄ、及び５０ｆによって内包されるように、凹部５０ｈが備えられ、ここに後述する開閉弁５２の軸部５２ａが保持される。また、図５（ａ）に示されるように、片５０ｄと片５０ｆとは、開閉弁５２が回動し得る程度に、互いに離隔して設けられている。
【００２５】
図６（ｂ）に示されるように、室内側片５０のフィルター部材５１は、フィルター５１ａとフィルター押さえ５１ｂとを有している。フィルター５１ａとしては、従来から換気口用のフィルターとして用いられてきた材料が特に限定されずに使用できる。フィルター押さえ５１ｂは見付け方向に延びる片５１ｃと、その見付け方向両端部に設けられる被掛止部５１ｄ、５１ｅとを有しており、被掛止部５１ｄが上記室内側片５０の片５０ａ、５０ｂ、５０ｄで囲まれた空間に差し込まれて掛止され、被掛止部５１ｅが後述するパネル被覆片７０の見込み方向室内側端部に掛止され得る形状とされている。フィルター押さえ５１ｂの見込み方向室内側面には、換気のための換気口２７ａ（図１参照）が設けられており、見込み方向の通気を可能としている。
【００２６】
図６（ｃ）に示されるように、室内側片５０の開閉弁５２は、軸部５２ａと、開閉弁５２が閉じられた姿勢で見付け方向に垂下するように延びる片５２ｂと、当該片５２ｂの見付け方向内側端部に設けられたパッキン５２ｃとを有している。開閉弁５２は、図５に示されるように、軸部５２ａが室内側片５０の凹部５０ｈに保持されて、操作部２７ｂ（図１参照）を操作することによって軸部５２ａを中心に回動可能とされている。開閉弁５２の回動機構については、従来から用いられてきたものを特に制限なく用いることができる。
【００２７】
図５に戻って、上横框２１の室外側片６０について説明する。室外側片６０は、複数の片を有してなり、まず、見込み方向室外側に面する片６０ａを有している。片６０ａの見込み方向室内側面からは、見込み方向室内側に延びる固定用片６０ｂが備えられ、ここに室内側片５０の被固定用片５０ｇが重ねられてネジ留め可能とされている。また、片６０ａの見付け方向内側端部は、下記パネル被覆片７０と一体とされており、室外側片６０の見込み方向室外側面と、パネル被覆片７０の見込み方向室外側面とが面一とされている。さらに、片６０ａは、固定用片６０ｂとパネル被覆片７０との間において、換気口（不図示）が設けられ、見込み方向の通気を可能としている。換気口の数、形状については特に限定されない。一方、片６０ａの見込み方向室内側面の見付け方向外側端部には、見込み方向室内側に延びるフィンが設けられ、上記上横枠１１の片１１ｆと接して水密気密が保たれるように構成されている。
【００２８】
本実施形態においては、図５（ａ）で矢印にて示されるように、開閉弁５２を開いた場合、当該矢印の流れに沿って、フィルター部材５１、室内側片５０の片５０ｄ、及び室外側片６０の片５３を介して、空気が流れ得る。また、開閉弁５２を閉じた場合、パッキン５２ｃが片５０ｄに押し付けられて通気路が閉鎖される。
【００２９】
上横框２１のパネル被覆片７０は、図２、図５に示されるように、ガラスパネル２５の外縁を覆うように略コ字状断面を有している。すなわち、パネル被覆片７０のコ字状内部の見込み幅は、ガラスパネル２５の見込み幅と略同一とされている。そして、パネル被覆片７０のコ字状内部に接着剤等の接着手段を設けて、若しくは外縁に接着剤等の接着手段が設けられたガラスパネル２５として、当該コ字状内部にガラスパネル２５の外縁を差し込むことで、上横枠２１とガラスパネル２５とが直接接着される。上横框２１とガラスパネル２５とが直接接着されることで、框の見付け幅を小さくすることができ、ガラスパネル２５の採光面積を拡大することができる。また、外観視において框の与える影響が少なくなり、シンプルで意匠性に優れた開口部装置とすることができる。一方、パネル被覆片７０の見付け方向外側面には上記室内側片５０を掛止できるように、爪部が設けられている。また、パネル被覆片７０の見付け方向外側面の室内側端部には、フィルター部材５１の被掛止部５１ｅを掛止可能な突起が設けられている。
【００３０】
上横框２１は、上記のように、室内側片５０と、互いに一体に成形された室外側片６０及びパネル被覆片７０と、が組み合わされて長尺の框とされている。また、パネル被覆片７０とガラスパネル２５とは接着手段により直接接着されている。すなわち、室外側片６０及びパネル被覆片７０が、ガラスパネル２５と一体とされている一方で、換気機構を有する室内側片５０は独立して着脱可能に構成されている。以下、換気機構を有する室内側片５０の着脱について説明する。
【００３１】
長期間の使用により、換気機構（フィルター部材５１や開閉弁５２等）に不具合が生じたとする。このような場合は、図５（ｂ）に示されるように、まず、フィルター部材５１が、室内側片５０やパネル被覆片７０から取り外される。フィルター部材５１のみに不具合が生じた場合は、室内側片５０を取り外すことなく当該フィルターを修理・交換等すればよい。一方で、開閉弁５２や、換気経路内部に何らかの不具合が生じた場合は、図５（ｃ）に示されるように、さらに、室内側片５０と室外側片６０とをネジ留めしていたネジを取り外す。ネジ頭は、上横框２１のうち、上記上横枠１１の上部レール１１ｆが挿入される凹部に存在している。そのため、当該凹部に工具等を差し込むことで、ネジを容易に取り外すことができる。ネジが取り外されることで、室内側片５０は、下縁のみをパネル被覆片７０によって掛止された状態となるので、図５（ｄ）に示されるように、室内側へと容易に取り外される。
【００３２】
従って、框内部の換気機構に何らかの不具合が生じた場合であっても、ガラスパネル２５から上横框２１全体を取り外すことなく、不具合の生じた箇所のみ容易にメンテナンスすることができる。特に、本実施形態においては、パネル被覆片７０がガラスパネル２５と直接接着されて一体とされているため、上横框２１全体を取り外すことが容易でなく、従来の換気構造では換気機構の取り換えが困難となってしまう。しかし、本実施形態のような上横框２１とすることで、換気機構のみを問題なく取り外すことができるため、メンテナンス性の改善効果がより顕著に得られることとなる。また、ネジが室内側片５０と室外側片６０との間に配置されることで、開口部装置１００の外観視においてネジが隠蔽された形態とすることができるので、意匠性に優れた開口部装置１００とすることができる。
【００３３】
尚、図５では、掛止片５１ｇと被掛止片５４とが見込み方向に延び、ネジが見込み方向に対して略垂直となるようにネジ留めされる形態について説明したが、ネジの向きについてはこれに限定されない。例えば、室外側片６０に備えられるフィンの端部と室内側片との間に存在する開口へと、ネジ頭が対向するように、ネジが垂直方向よりもやや傾いた角度でネジ留めされる形態とすることもできる。これには、例えば、掛止片５１ｇと被掛止片５４とを見込み方向に対してやや傾斜して設けることによって可能となる。このことで、工具先端をネジ頭に向かってより容易に挿入できるので、室内側片５０を着脱しやすくなる。
【００３４】
（下横框２２）
下横框２２は、図２で示される断面において、片２２ａ〜２２ｃで示される形状を有して、紙面奥手前に延在している。片２２ａは見込み方向室内側に面しており、片２２ｂは見込み方向室外側に面しており、片２２ｃは、ガラスパネル２５の外縁を覆うように略コ字状とされている。これら片２２ａ〜２２ｃは一体に形成されており、片２２ｃのコ字状部とガラスパネル２５とが接着剤等の接着手段により直接接着されることで、下横框２２とガラスパネル２５とが一体とされている。下横框２２とガラスパネル２５とが直接接着されることで、下横框２２の見付け幅を縮小することができ、ガラスパネル２５の採光面積を拡大することができる。また、外観視において框の与える影響が少なくなり、シンプルで意匠性に優れた開口部装置とすることができる。下横框２２の、片２２ａ〜２２ｃによって囲まれる空間には戸車２８が備えられ、当該戸車２８は、下横枠１２の片１２ｄに載置されることで障子２０がスライド可能とされている。また、片２２ｂの見込み方向室内側面にはフィンが設けられ、下横枠１２の片１２ｄと接することで障子２０下縁の水密気密が保たれている。
【００３５】
（戸先框２３）
戸先框２３は、図４で示される断面において、片２３ａ〜２３ｃで示される形状を有して、紙面奥手前に延在している。片２３ａは、見込み方向室内側に面しており、片２３ｂは見込み方向室外側に面しており、片２３ｃは、ガラスパネル２５の外縁を覆うように略コ字状とされている。これら片２３ａ〜２３ｃは一体に形成されており、片２３ｃのコ字状部とガラスパネル２５とが接着剤等の接着手段により直接接着されることで、戸先框２３とガラスパネル２５とが一体とされている。戸先框２３とガラスパネル２５とが直接接着されることで、戸先框２３の見付け幅を縮小することができ、ガラスパネル２５の採光面積を拡大することができる。また、外観視において框の与える影響が少なくなり、シンプルで意匠性に優れた開口部装置とすることができる。戸先框２３の片２３ｂの見込み方向室内側面にはフィンが設けられ、縦枠１５の片１５ｃと接することで障子２０横縁の水密気密が保たれている。また、図１に示されるように、戸先框２３の略中央部には把手２６が設けられ、障子２０を見付け方向に容易にスライド可能としている。
【００３６】
（内召し合わせ框２４）
内召し合わせ框２４は、内召し合わせ部に用いられる縦框である。内召し合わせ框２４は、図４で示される断面において、略矩形状の矩形部２４ａ、２４ｂと略コ字状のコ字状部２４ｃとを有して、紙面奥手前に延在している。矩形部２４ａは見込み方向室内側に面して形成され、矩形部２４ｂは障子２０においてガラスパネル２５よりも見付け方向外側であって矩形部２４ａよりも見込み方向室外側に形成されている。また、矩形部２４ｂの見込み方向室外側面には、障子２０の見付け方向内側に形成された爪部２４ｄが設けられており、外召し合わせ框３４の爪部３４ｄと係合可能とされている。コ字状部２４ｃは、障子２０において矩形部２４ｂの見付け方向内側に形成され、当該コ字状内部にガラスパネル２５の外縁が挿入されている。これら矩形部２４ａ、２４ｂ及びコ字状部２４ｃは一体に形成されており、コ字状部２４ｃとガラスパネル２５とが接着剤等の接着手段により直接接着されることで、内召し合わせ框２４とガラスパネル２５とが一体とされている。内召し合わせ框２４とガラスパネル２５とが直接接着されることで、内召し合わせ框２４の見付け幅を縮小することができ、ガラスパネル２５の採光面積を拡大することができる。また、外観視において框の与える影響が少なくなり、シンプルで意匠性に優れた開口部装置とすることができる。また、内召し合わせ框２４の略中央部には施錠装置４０が設けられ、障子２０、３０の施錠及び開錠を可能としている。
【００３７】
（ガラスパネル２５）
ガラスパネル２５は、いわゆる複層ガラスパネルであり、矩形板状である２枚の板ガラスが室内外方向に所定の間隔を有して並列されている。当該２枚の板ガラスの間隙により形成される空間のうち、その外周端部には該外周端部に沿ってスペーサ２８ａ〜２８ｄが配置されている。スペーサ２８ａ〜２８ｄは、シール部材を備え、これにより、２枚の板ガラスを一体に保持して水密気密を得ることができる。また、スペーサ２８ａ〜２８ｄに乾燥剤を含ませれば、空間内側を適切な湿度に保つことも可能となる。
【００３８】
上記框２１〜２４とガラスパネル２５とは、ガラスパネル２５の外縁の少なくとも一部に、好ましくは外縁に沿って、接着剤を塗布した後、框２１〜２４のコ字状部にガラスパネル２５を差し込んで、接着剤を乾燥させることによって接着した形態の他、粘着テープを用いて接着した形態や、ネジ等の固定部材によって固定一体化した形態等を挙げることができる。但し、より容易に框２１〜２４とガラスパネル２５とを一体化するとともに、十分な強度を得る観点から、接着剤を用いて接着することが好ましい。
【００３９】
＜障子３０＞
本実施形態において、障子３０は、図３、４に示されるように、上横框３１として換気口（換気機構）を設けない框を用いた他は、障子２０とほぼ同様の構成を有するため、説明を省略する。但し、障子３０においても、上記障子２０と同様、框（上横框３１、下横框３２、戸先框３３、外召し合わせ框３４）のコ字状部３１ｃ〜３４ｃにガラスパネル３５が接着剤等の接着手段により直接接着されている。このことで、框の見付け幅を縮小でき、ガラスパネル３５の採光面積を拡大することができる。さらに、好ましくは、障子２０、３０のすべての框とガラスパネルとを直接接着する形態とすることで、開口部装置１００全体としての採光面積に与える影響が極めて大きくなるとともに、開口部装置１００全体の外観視が極めてシンプルとなるため、従来よりも採光性、意匠性に優れる開口部装置１００とすることができる。
【００４０】
上記説明においては、框とガラスパネルとが直接接着され一体化されている形態について例示したが、本発明はこれに限定されない。従来公知の構造である、グレージングチャンネル等を用いた形態としても、メンテナンス性に優れる開口部装置とすることができる。但し、本発明のメンテナンス性向上効果が得に顕著に得られること、及び、採光面積の拡大や意匠性の向上にも繋がることから、框とガラスパネルとが直接接着された形態の開口部装置１００とすることが好ましい。
【００４１】
また、上記説明においては、上横框２１の室内側片５０が、着脱可能とされた形態について説明したが、本発明はこれに限定されない。容易に内部をメンテナンスし得る開口部装置とする観点から、室外側片６０を着脱可能に構成してもよい。また、室外側片６０にフィルター部材５１、開閉弁５２等が備えられていてもよい。
【００４２】
また、上記説明においては、上横框２１の室外側片６０とパネル被覆片７０とが一体とされ、室内側片５０のみが着脱可能とされた形態について説明したが、本発明はこれに限定されない。室外側片６０及び室内側片５０の双方が、パネル被覆片７０から着脱可能に構成されていてもよい。但し、十分な強度を容易に得る観点や、簡易な構成で框内部をメンテナンス可能とする観点から、室内側片５０又は室外側片６０のいずれか一方がパネル被覆片７０と一体に形成されていることが好ましい。この中でも、高層階に備えられた開口部装置等、室外側から作業困難な場合において、室内側から作業可能とし、容易にメンテナンス可能とする観点から、室外側片６０とパネル被覆片７０とが一体とされ、室内側片５０が着脱可能とされた形態が特に好ましい。
【００４３】
また、上記説明においては、上横框２１の室内側片５０と室外側片６０とが互いにネジ留めされて固定されている形態について説明したが、本発明はこれに限定されない。上記固定用片６０ｂや被固定用片５０ｇの形状を変形して、互いに嵌合や係合させることにより、他の部材を用いることなく室内側片５０と室外側片６０とを固定してもよいし、ネジ以外の他の固定部材を用いて室内側片５０と室外側片６０とを固定してもよい。但し、強度を確保するとともに、容易に着脱可能とする観点から、室内側片５０と室外側片６０とをネジ留めして固定することが好ましい。
【００４４】
また、上記説明においては、開閉弁５２が回動することによって、換気口の開閉を可能とした形態について説明したが、本発明はこれに限定されない。例えば、フィルター部材に並列して備えられた換気口と互い違いとなるように、開閉弁５２に並列する換気口を設け、当該開閉弁５２を摺動させることによって、換気口同士が重なった場合に開放され、換気口が互い違いとなった場合に気密され得るような形態等を挙げることができる。
【００４５】
また、上記説明においては、上横框２１にのみ換気口が設けられる形態について説明したが、本発明はこれに限定されず、上横框３１や、戸先框２３、３３等に換気口が備えられる形態としてもよい。
【００４６】
また、上記説明においては、枠体１０の縦枠１４、１５にカバー部材８０、８１が備えられるとともに、戸先框２３、３３に把手２６、３６が備えられる形態について説明したが、本発明はこれに限定されない。カバー部材８０、８１及び把手２６、３６を設けず、戸先框２３、３３に溝部を設けることと等によって障子２０、３０をスライド可能な形態としてもよい。但し、断熱性確保の観点、意匠性向上の観点から、カバー部材８０、８１を設け、引手用の把手２６、３６を設けることが好ましい。
【００４７】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【符号の説明】
【００４８】
１０            枠体
１１            上横枠
１２            下横枠
１４、１５        縦枠
２０            障子
２１            上横框
２２            下横框
２３            戸先框
２４            内召し合わせ框
２５            ガラスパネル
２６            把手
３０            障子
４０            施錠装置
５０            室内側片
６０            室外側片
７０            パネル被覆片
８０、８１        カバー部材
１００            開口部装置
【図１】
2010270524.tif 000003
【図２】
2010270524.tif 000004
【図３】
2010270524.tif 000005
【図４】
2010270524.tif 000006
【図５】
2010270524.tif 000007
【図６】
2010270524.tif 000008